(57)【特許請求の範囲】
【請求項１】
原水を電気分解して陰極水と陽極水とを生成する電解槽の上流側に浄水器を設けると共に、原水が浄水器を通過、非通過する原水切換え手段を設けてなる電解水生成装置において、
原水が浄水器を非通過する原水切換え手段の管路を原水切換え手段の浄水器通過管路より径小にしたをことを特徴とする電解水生成装置。
【発明の詳細な説明】
【０００１】
【産業上の利用分野】
この発明は、水道水を原水として使用し電気分解する電解水生成装置に関するものである。更に詳述すると、所望によって、飲料に供する陰極水を主として吐水するものと、消毒や殺菌用洗浄用水などに供する強い陽極水を主として吐水するものを自在に切り換えて生成する電解水生成装置に関する。
【０００２】
【従来の技術】
図３に示す電解水生成装置において、電解槽１は、電解槽内を隔膜９によって陰極室１１と陽極室１２に分け、夫夫の室内に電極１０、１０を挿入し、陰陽極室内に供給した原水を電極間に印加した直流電流の通電によって電気分解することにより陰極室に陰極水を、陽極室に陽極水を電解生成するものである。
【０００３】
飲料に供する陰極水を主として吐水する装置にあっては、飲料水として好ましい水質を得るため、つまり、電解槽供給前の原水中に含まれる飲料に不適な成分、例えば、臭気やカルキ、汚濁成分などの微細不純物や細菌などを取り除くため、電解槽流入前に浄水器１５を取り付け、装置内外の水道の蛇口１６で開閉して得られる水道水などの原水を浄水器の流入口１７に供給すると共に、流出口１８から流出させ、浄水器１５を通過した原水のみを給水管１９を介して電解槽１に流入するように構成している。
【０００４】
上記浄水器は上記のように臭気やカルキなどの飲料に不適な化学成分を取り除く吸着作用と汚濁物質や細菌などを取り除く濾過作用を効率的に行うため、夫夫に最適な部材をもって構成されている。すなわち、この目的の浄水器は水道水中の塩素などを除去する銀イオンを含む粒状の活性炭に亜硫酸カルシウムなどを層状に構成して吸着剤としたものに、更に、中空糸からなる濾過部材を通す方法が行われている。しかも上記浄水器は原水が多量に通過して浄水能力が低下した場合、容易に交換できるようにカートリッジとして構成し、能力の低下に従って浄水器自体を交換する。
【０００５】
従来、上記陰極水は健康に好ましい作用をする水として主に飲料水として使われる一方、陽極水はアストリンゼン水などとして使われてきた。陽極水は上記陰極水の使用に較べるとその使用量は少なく陽極水はそのまま排水される場合が多い。
【０００６】
ところが、水道水に含まれる塩素および塩素イオン自体が電解槽供給前の原水中に電解質としてＮａＣｌ、ＫＣｌなどのハロゲン化合物を一定の割合で添加して、電解槽で電気分解すると、電解質を構成するアニオンは陽極室に移動する。この結果、陽極室にはＨＣｌＯ、ＣｌＯ-などアニオンを多量に含んだ低いｐＨの陽極水が得られる。この水には消毒および殺菌効果があるため、消毒や殺菌用洗浄用水として重宝される。
【０００７】
このような消毒および殺菌効果のあるアニオンを多量に含んだ陽極水を主に得るための電解装置では、陽極水は飲料に適さず、しかも上記のように陽極水を得るのが目的で陰極水は通常排水されるので、少なくとも陽極水を吐水する際には、原水を上記浄水器へ通過させる必要はない。
【０００８】
このため、飲料水としての陰極水を得るときは水道水などの原水を浄水器に通過するようにし、主として殺菌に効果のある陽極水を得るときは浄水器をバイパスさせて、原水を直接電解槽に供給することが考えられる。例えば、特開平６−１５４７５５号公報に開示された図４に示す装置においては、電解槽１の上流側に設けた浄水器２に対して切換え手段６を設けると共に、上記切換え手段を操作することにより、電解槽への原水を供給する際、浄水器を通過する場合と非通過する場合が選択できるようにしている。
【０００９】
すなわち、上記装置においては、飲料用としての陰極水を得る場合には、切換え手段６により原水を浄水器２を通過させて電解槽１に供給し、また洗浄や殺菌用の陽極水を必要とする場合には、切換え手段６により原水を通過させることなくバイパス流路４を通して直接電解槽に原水を供給するものである。
【００１０】
この浄水器２は浄化手段として、その筐体内部に活性炭７が充填されている。浄水器の上流側に位置する給水管３と電解槽１との間にバイパス流路４を設けると共に、給水管３とバイパス流路４との分岐部５に三方弁からなる切換え手段６を設け、（ａ）水道水を浄水器を介して電解槽に供給したり、（ｂ）水道水を浄水器を通過させることなく直接電解槽に供給したりする。
【００１１】
上記装置においては、飲料用の陰極水を必要とする場合には、図５（ａ）に示すように切換え手段６である三方弁を原水が給水管３から浄水器の流入口に原水が流通するように位置させ、原水を一旦浄水器２で浄化した後電解槽で陰極水を生成させる。また、洗浄や殺菌性の陽極水を使用する場合には図５（ｂ）に示すように、原水が給水管３からバイパス流路４に供給するように位置させ、原水を浄化器２を通過させることなく、バイパス流路４を通じて直接電解槽に供給して電解槽で陽極水を生成する。この結果、所望の水が得られると共に、陽極水を得るときは浄水器を通過させないので、浄水器の寿命を延長することができる。
【００１２】
【発明が解決しようとする課題】
ところが上記方法で、陽極水を吐水するため原水が浄水器を通らないように給水管から電解槽に直接流水するようにすると、原水は浄水器を通らないだけ流通抵抗が減少して電解槽に供給される原水の流量が増加する。
【００１３】
陽極水を主に得ようとする場合、とりわけ原水中に含まれている塩素イオンや塩素を利用して消毒や殺菌効果のある殺菌用洗浄用水を得ようとする場合、供給水量を絞り強力な電解を行うことにより始めて所望の陽極水が得られる。つまり、図４に示した単に切換え手段を切り換える従来法においては、陽極水を主に得る場合は水量を自動的に少なくしなければならない。このため、改めて、原水の供給側や吐水側に水量制御手段を設けるか、電解槽の陰陽極に印加する電流を供給水量に合わせて自動的に増大する手段を設けなければならず甚だ煩わしい。
そこで本発明は陽極水を主に得る場合には電解槽に供給する水量を自動的に少なくすることにより、上記課題を解決しながら浄水器の寿命を延長させうる殺菌用洗浄用水を簡単に得る装置を提供しようとするものである。
【００１４】
【課題を解決するための手段】
本発明の電解水生成装置はその目的を達成するため、原水を電気分解して陰極水と陽極水とを生成する電解槽の上流側に浄水器を設けると共に、原水が浄水器を通過、非通過する原水切換え手段を設けてなる電解水生成装置において、
原水が浄水器を非通過する原水切換え手段の管路を原水切換え手段の浄水器通過管路より径小にしたをことを特徴とすることを要旨とするものである。
【００１５】
【作用】
水道水などの原水を電解槽を通し主に陰極水を吐水する場合には、浄水器を通過させる。他方、主に陽極水を吐水する場合には、原水切換え手段をもって浄水器を非通過させる。この場合、原水は原水切換え手段の径小な管路を流れるため、抵抗を受けて流量が自動的に減少する。殺菌水を得るのに最適な条件にその径を設定しておけば、切換え手段を変えるだけで所望の殺菌、洗浄用陽極水が得られる。
【００１６】
【実施例】
図１は本発明に関わる電解水生成装置の一実施例であり、図２は本発明に関わる切換え手段を説明する図である。図３と同じ作用・機構を示す部材には同じ符号を表示し、重複する説明は省く。以下、本発明を、図面に示した実施例に基づいて説明する。
【００１７】
すなわち、本発明の電解水生成装置は、水道水などの原水を電気分解する電解槽１と、電解槽１の上流側に浄水器１５を備えている。原水の取り入れ側に位置する給水管２３と浄水器の流入口１７との間に切換え手段２１を設けて給水管２３から送られる原水を所望によって浄水器を介してまたは浄水器を介さないで直接電解槽に達する２方向のいずれかに切り換え流通させる。切換え手段２１から分岐された一方の給水管は浄水器を介してその流出口１８から給水管１９に達し、切換え手段２１から分岐された他方の給水管はバイパス給水管２４を介して給水管１９に達する。
【００１８】
切換え手段２１は三方弁のような弁体が使用される。図２（ａ）に示されるように、陰極水を主に得る場合には、原水を給水管２３から取り入れ、浄水器の流入口１７に流入させ、浄水器を通過させた後、電解槽１に供給する。図２（ｂ）に示されるように、陽極水を主に得る場合には、原水を給水管２３から取り入れ、バイパス給水管２４を介して電解槽１に供給する。
【００１９】
切換え手段のバイパス給水管側の管径ｍは浄水器の流入口側に較べて遥かに径小に構成されている。このため、陽極水を得るため切換え手段を図３（ａ）から図３（ｂ）にするとき、原水の流通は上記径小部２２によって制約を受けて流量は少なくなる。すなわち、陰極水を得るため浄水器を通過させるときよりも少なくすることができる。
【００２０】
径小部２２の管径は原水中に含まれる電解質の含有量、電解槽の許容電流容量および所望する陽極水の強度（例えば、ＯＲＰ）などによって適宜変更することができる。
【００２１】
従って、本発明の電解水生成装置では、飲料用の陰極水を主に得ようとする場合には、原水は浄水器を通過するのに対して、洗浄や殺菌用の陽極水を必要とする場合には、切り換え手段２１により原水を浄水器を通過させることなくバイパス給水管２４を通じて電解槽１に供給することができるため、浄水器の不必要な使用を避けることができる。
【００２２】
【発明の効果】
本発明の電解水生成装置において、主に陰極水を吐水する場合には、浄水器を通過させ、他方、主に陽極水を吐水する場合には、原水切換え手段をもって浄水器を非通過させる。この場合、原水は原水切換え手段の径小な管路を流れるため流量は自動的に減少する。殺菌水を得るのに最適な条件にその径を設定しておけば、切換え手段を変えるだけで所望の殺菌、洗浄用陽極水が簡単に得られる。
【００２３】
しかも、陽極水を主に得る際には、切換え手段により原水を浄水器を通過させることなく電解槽に供給するため、浄水器の不必要な使用を避けて寿命を長くすることができる。
【図面の簡単な説明】
【図１】本発明に関わる電解水生成装置の一実施例である。
【図２】本発明に関わる切換え手段を説明する図である。
【図３】電解水生成装置の従来例である。
【図４】電解水生成装置の別な従来例である。
【図５】電解水生成装置の別な従来例の切換え手段を説明する図である。
【符号の説明】
１  電解槽
１５  浄水器
２１  切換え手段
２２  径小部
２３  給水管
２４  バイパス給水管
【図１】
0003641754.tif 000002
【図２】
0003641754.tif 000003
【図３】
0003641754.tif 000004
【図４】
0003641754.tif 000005
【図５】
0003641754.tif 000006